(57)【要約】      （修正有）【課題】包装箱内を均一に保冷することができるとともに、生菓子や冷菓を包装箱の底面に直接接触させることがなく、容易に廃棄できるシート状保冷剤を提供する。【解決手段】シート状保冷剤１は、基体２、外装材を備えている。基体２は、紙、織布又は不織布を素材として、幅又は長さのうち少なくとも一方が包装箱１００の底面の幅又は長さに略等しく、他方が包装箱１００の底面の長さ又は幅に略等しいか又はそれ以下である矩形の含水性を有するシートである。外装材は、可撓性を有する樹脂フィルムを素材として、水を含浸した基体２を内部に密封する包体である。【選択図】図４
0003169575.tif 000002
【実用新案登録請求の範囲】
【請求項１】
保冷すべき商品を収納する包装箱に配置される保冷剤であって、
水を含浸した基体と、前記基体を収納する外装材と、を備え、
前記基体は、紙、織布又は不織布を素材として、幅又は長さのうち少なくとも一方が前記包装箱の底面の幅又は長さに略等しく、他方が前記包装箱の底面の長さ又は幅に略等しいか又はそれ以下である矩形の含水性を有するシートであり、
前記外装材は、可撓性を有する樹脂フィルムを素材として、前記基体を内部に密封する包体であるシート状保冷剤。
【請求項２】
前記基体は、幅及び長さの両方が前記包装箱の底面の幅及び長さに等しい請求項１に記載のシート状保冷剤。
【請求項３】
前記基体に含浸された水は、消毒用アルコール含む請求項１又は２に記載のシート状保冷剤。
【請求項４】
前記外装材の周縁部の一部に切込を形成した請求項１〜３の何れかに記載のシート状保冷剤。
【考案の詳細な説明】
【技術分野】
【０００１】
この考案は、低温保存すべき生菓子や冷菓を収納する包装箱に適用されるシート状保冷剤に関する。
【背景技術】
【０００２】
低温保存すべき生菓子や冷菓は、店舗での販売時に包装箱に収納された状態で、顧客が持ち帰る場合が多い。生菓子や冷菓は、顧客による持ち運び中にも低温状態を維持する必要があり、冷却部材とともに包装箱に収納される。
【０００３】
包装箱に収納される冷却部材として、ドライアイスや保冷剤が知られている。ドライアイスは店舗における保管や取り扱いが煩雑であるため、近年は、高吸水性ポリマに水を含浸させたゲルを樹脂フィルムで包装した保冷剤が多用されている（例えば、特許文献１又は２参照。）。
【先行技術文献】
【特許文献】
【０００４】
【特許文献１】特開２００５−１１８０５９号公報
【特許文献２】特開２００３−２８５８２２号公報
【考案の概要】
【考案が解決しようとする課題】
【０００５】
しかし、生菓子や冷菓とともに包装箱に収納される従来の保冷剤は、包装箱の面積に比較して小さく、包装箱の内部で生菓子や冷菓の側部に配置されるか、又は生菓子や冷菓の上部の一部に保持されている。このため、包装箱の内部を均一に保冷することができないだけでなく、生菓子や冷菓は、包装箱の底面に直接接触することになり、特に下部において外気温の影響を受け易く、低温状態を維持できない。また、従来の保冷剤は、高吸水性ポリマを含有しているため、環境に配慮した廃棄処理が必要になる。
【０００６】
この考案の目的は、包装箱の内部を均一に保冷できるとともに、生菓子や冷菓を包装箱の底面に直接接触させることがなく、容易に廃棄できる環境性を備えた保冷剤を提供することにある。
【課題を解決するための手段】
【０００７】
この考案のシート状保冷剤は、基体及び外装材を備えている。基体は、紙、織布又は不織布を素材として、幅又は長さのうち少なくとも一方が包装箱の底面の幅又は長さに略等しく、他方が包装箱の底面の長さ又は幅に略等しいか又はそれ以下である矩形の含水性を有するシートである。外装材は、可撓性を有する樹脂フィルムを素材として、液体を含浸した基体を内部に密封する包体である。
【０００８】
この構成によれば、単一又は複数のシート状保冷剤の面積が包装箱の底面の全面の面積に匹敵し、包装箱の底面が全面にわたって保冷剤で被覆される。予め冷蔵又は冷凍したシート状保冷剤を包装箱の上面に又は底面に配置することで、包装箱の内部が均一に保冷される。特に、予め冷蔵又は冷凍したシート状保冷剤を包装箱の底面に配置することで、包装箱内に収納される生菓子や冷菓が包装箱の底面に直接接触することなく保冷される。
【０００９】
この構成において、基体に含浸させる液体は、水、又は極少量の吸水性ポリマ等を含む水溶液とすることができる。基体を、包装箱に収納して持ち運んだ後の生菓子や冷菓を食べた後のテーブル、口の周りや手指の清掃に用いることができる。また、基体に含浸させる液体は、極少量の消毒用アルコール含む水溶液としてもよい。基体を、包装箱に収納して持ち運んだ後の生菓子や冷菓を食べる際の手指の消毒剤として使用することができる。
【００１０】
また、外装材の周縁部の一部に切込を形成することが好ましい。外装材の内部から消毒用アルコールを含浸した基体を取り出す際に、切込から外装材を容易に破断することができる。
【考案の効果】
【００１１】
この考案によれば、包装箱の内部を均一に保冷できるとともに、生菓子や冷菓が包装箱の底面に直接接触することを防止でき、包装箱に収納して持ち運ぶ間にも生菓子や冷菓の低温状態を維持することができる。また、廃棄を容易に廃棄できるため環境性に優れる。
【図面の簡単な説明】
【００１２】
【図１】この考案の実施形態に係るシート状保冷剤の使用状態を示す外観図である。
【図２】同シート状保冷剤の一部を破断した外観図である。
【図３】（Ａ）及び（Ｂ）は、同シート状保冷剤の断面図である。
【図４】同シート状保冷剤の使用状態を示す断面図である。
【図５】（Ａ）は同シート状保冷剤を使用した場合の各部の温度変化を示す図であり、（Ｂ）は従来の保冷剤を使用した場合の各部の温度変化を示す図である。
【考案を実施するための形態】
【００１３】
この考案の実施形態に係るシート状保冷剤について、以下に図面を参照しつつ説明する。
【００１４】
図１に示すように、シート状保冷剤１は、生菓子や冷菓等の商品２００を顧客が持ち帰る際に用いられる包装箱１００に使用される。包装箱１００は、一般に、ボール紙等の厚紙を素材として、底面１０１が長さＬ１及び幅Ｗ１の矩形を有する中空直方体形状に形成されている。包装箱１００の上面１０２は、背面側の端部１０３を支軸にして開閉自在にされている。
【００１５】
シート状保冷剤１は、予め冷蔵又は冷凍された状態で、商品２００を収納する前に包装箱１００の底面１０１に配置される。商品２００は、シート状保冷剤１の上に載置された状態で包装箱１００内に収納される。
【００１６】
図２に示すように、シート状保冷剤１は、基体２、外装材３からなる。基体２は、紙、不織布又は織布等の含水性及び可撓性を有する材料を素材として矩形のシート状に形成されており、水を含浸している。一例として、基体２は、紙を複数回折り畳んで構成されている。外装材３は、例えば、ポリエチン、ポリプロピレン、塩化ビニル等の可撓性を有する樹脂フィルムを素材として筒状を呈し、互いに平行な端部に封止部３１，３２を備え、内部に基体２を収納している。
【００１７】
シート状保冷剤１の製作時には、一例として、先ず、筒状の外装材３における開放した一方の端部を封止部３１によって封止して袋状に形成する。次いで、水を含浸させた基体２を外装材３における開放した他方の端部から外装材３内に挿入する。この後、外装材３の他方の端部を封止部３２によって封止する。
【００１８】
シート状保冷剤１の製作にあたっては、水を含浸した基体２を外装材３の内部に収納して外装材３を密封することを条件に種々の方法を用いることができ、例えば、液体を含浸する前の基体２を袋状の外装材３内に収納し、外装材３内に液体を充填した後に、外装材３を密封することもできる。
【００１９】
図３（Ａ）及び（Ｂ）に示すように、基体２は、長さＬ２及び幅Ｗ２の矩形のシート状を呈している。長さＬ２及び幅Ｗ２は、包装箱１００の底面１０１の長さＬ１及びＷ２に略等しい。外装材３の長さＬ３は、両端部に封止部３１，３２を形成するために、基体２の長さＬ２よりも長い。外装材３の幅Ｗ３は、基体２の幅Ｗ２に略等しい。
【００２０】
図４に示すように、シート状保冷剤１は、基体２が底面１０１の略全面に載置され、外装材３の封止部３１，３２が側面１０４，１０５に沿って直角に折れ曲がった状態で、包装箱１００内に収納される。シート状保冷剤１は、基体２が底面１０１の全面を被覆する状態を確実に維持し、包装箱１００内で容易に移動することがない。
【００２１】
シート状保冷剤１を構成する基体２及び外装材３は、何れも可撓性を有する材料で構成されているため、基体２及び外装材３の寸法が包装箱１００の底面の寸法より大きい場合でも、包装箱１００の底面１０１上を基体２によって確実に覆うことができる。
【００２２】
また、基体２の長さＬ２又は幅Ｗ２の一方が、包装箱１００の底面１０１の長さＬ１又はＷ１の一方に等しければ、複数のシート状保冷剤１を用いることで底面１０１の全面を基体２によって被覆することができる。この場合、外装材３の封止部３１，３２が形成される辺に直交する方向について基体２と底面１０１との寸法が略等しいことが好ましい。折れ曲がった封止部３１，３２が包装箱１００の垂直面に当接することにより、包装箱１００内におけるシート状保冷剤１の移動を規制できる。
【００２３】
シート状保冷剤１を、予め冷蔵又は冷凍した状態で、商品２００を収納する前に包装箱１００の底面１０１に配置すると、商品２００はシート状保冷剤１の上に載置された状態で包装箱１００内に収納される。商品２００と包装箱１００の外部との間には、冷蔵又は冷凍されたシート状保冷剤１が位置する。商品２００と底面１０１との間に底面１０１のみが存在していた従来に比較して、商品２００に与える外気温の影響が著しく緩和され、商品２００を十分に長い時間にわたって保冷することができる。
【００２４】
また、シート状保冷剤１は、包装箱１００の内部の底面に全面にわたって配置されるため、包装箱１００の内部を均一に保冷することができる。
【００２５】
図５（Ａ）は、気温３０℃の環境下で、冷凍した状態のシート状保冷剤１を配置した包装箱１００内に商品（ロールケーキ）２００を収納し、図４に示すように、包装箱１００内の空間、商品２００の内部、及び商品２００の底面に、それぞれ配置した温度センサＳ１〜Ｓ３による検出温度の測定結果を示している。保冷剤１を使用することにより、同じ条件で商品２００の両側に従来の保冷剤のみを配置した場合（図５（Ｂ）参照。）に比較して、商品２００の内部の温度上昇が低減された。
【００２６】
シート状保冷剤１は、環境に配慮した廃棄処理が必要な高分子ポリマを用いないか、又は極少量の高分子ポリマを使用するため、使用後に容易に廃棄できる。また、同様の理由により、使用後のシート状保冷剤１の基体２をお手拭き等に用いることができる。この場合に、シート状保冷剤１の封止部３１，３２の少なくとも一方に切込を形成し、外装材３を破断して基体２を容易に取り出せるようにし、取り出した基体２をお手拭きとして使用するようにしてもよい。また、基体２に極小量の消毒用アルコールを含んだ水溶液を含浸させておくこともできる。
【００２７】
なお、上記の例では、シート状保冷剤１を包装箱１００の内部の底面に配置する場合について説明したが、シート状保冷剤１を包装箱１００の内部の上面（蓋１０２の内側面）に、例えば両面テープを用いて配置することができる。この場合においても、冷蔵又は冷凍されたシート状保冷材１から生じた冷気が包装箱１００の内部において上部から下方に流れ、包装箱１００の内部を均一に保冷することができる。
【００２８】
上述の実施形態の説明は、すべての点で例示であって、制限的なものではないと考えられるべきである。本考案の範囲は、上述の実施形態ではなく、実用新案登録請求の範囲によって示される。さらに、本考案の範囲には、実用新案登録請求の範囲と均等の意味および範囲内でのすべての変更が含まれることが意図される。
【符号の説明】
【００２９】
１−シート状保冷剤
２−基体
３−外装材
１００−包装箱
２００−商品
【図１】
0003169575.tif 000003
【図２】
0003169575.tif 000004
【図３】
0003169575.tif 000005
【図４】
0003169575.tif 000006
【図５】
0003169575.tif 000007